(57)【要約】【課題】  各親機の回路構成を大きくすることなく、また、簡単な処理で、全ての子機を１台の親機にのみ対応付けられ、製品コストを低減できる電力線通信システムを提供する。【解決手段】  親機１，２の親側制御回路１２は、自身が属するネットワークＡ，Ｂへの参入要求を子機１〜５から受信した場合に、親側メモリ１１に記憶するＩＤリストを参照して、ＩＤリストに記憶された子機に対しては参入要求を許可してネットワークＡ，Ｂへの参入を登録し、ＩＤリストに記憶されていない子機に対しては参入要求を拒否する。各子機１〜５は、ネットワークＡ，Ｂへの参入要求が親機１，２によって拒否された場合、拒否された親機１，２に割り当てられたＰＡＮ−ＩＤを子側メモリ４に記憶する。子側制御回路５は、子側メモリ４に記憶したＰＡＮ−ＩＤとは異なるＰＡＮ−ＩＤを有する親機１，２に、その親機１，２が属するネットワークＡ，Ｂへの参入要求を送信する。【選択図】  図３
2020010251.tif 000002
【特許請求の範囲】
【請求項１】
子機と親機が電力線通信方式によって通信を行うネットワークを複数備える電力線通信システムにおいて、
前記親機は、自身が属する前記ネットワークに固有の識別情報、および、自身が属する前記ネットワークの配下に接続させる各前記ネットワーク間で重複しない前記子機のリストを記憶した親側メモリと、自身が属する前記ネットワークへの参入要求を前記子機から受信した場合に前記リストを参照して、前記リストに記憶された前記子機に対しては参入要求を許可して自身が属する前記ネットワークへの参入を登録し、前記リストに記憶されていない前記子機に対しては参入要求を拒否する応答を送信する親側制御回路とを備え、
前記子機は、参入要求が拒否された前記親機に割り当てられた前記識別情報を記憶する子側メモリと、前記子側メモリに記憶した前記識別情報とは異なる前記識別情報を有する前記親機にその親機が属する前記ネットワークへの参入要求を送信する子側制御回路とを備えることを特徴とする電力線通信システム。
【請求項２】
前記子側制御回路は、最も通信品質が良い通信を行える前記親機へ参入要求を送信することを特徴とする請求項１に記載の電力線通信システム。
【発明の詳細な説明】
【技術分野】
【０００１】
本発明は、子機と親機が電力線通信方式によって通信を行うネットワークを複数備える電力線通信システムに関するものである。
【背景技術】
【０００２】
従来この種の電力線通信システムとしては、例えば、特許文献１に開示された電力線搬送通信システムがある。
【０００３】
この電力線搬送通信システムは、複数台の親機と複数台の子機とが電力線を通信路に用いて通信する。各親機は、同文献の図５に示されるように、子機と通信するための第１の通信Ｉ／Ｆ部と、他の親機と通信するための第２の通信Ｉ／Ｆ部と、通信可能である子機の識別情報を記憶する記憶部と、識別情報を記憶部から読み出す読出部とを備える。さらに、各親機は、他の親機の記憶部に記憶されている情報の取得を第２の通信Ｉ／Ｆ部を通して読出部に要求する取得部と、取得部が自機および他機の読出部から取得した情報を集約して記憶する統合記憶部と、統合記憶部に記憶された子機の識別情報における重複の有無を検出する検出部と、検出部が識別情報の重複を検出した場合に重複を解消する処理を行う処理部とを備える。各親機がそれぞれ、取得部、統合記憶部、検出部および処理部を備えることで、全ての子機は１台の親機にのみ対応付けられることになる。
【先行技術文献】
【特許文献】
【０００４】
【特許文献１】特開２０１４−１５５２０１号公報
【発明の概要】
【発明が解決しようとする課題】
【０００５】
しかしながら、上記従来の電力線通信システムでは、全ての子機を１台の親機にのみ対応付けるのに、各親機にそれぞれ取得部、統合記憶部、検出部および処理部を備える必要がある。このため、上記従来の電力線通信システムにより、全ての子機を１台の親機にのみ対応付けるようにすると、各親機の回路構成が大きくなり、また、処理も複雑になって製品コストが高くなる。
【０００６】
また、全ての子機それぞれに、対応付ける親機の情報を記憶させることで、全ての子機を１台の親機にのみ対応付けることができる電力線通信システムを構築することも可能である。しかし、この電力線通信システムでは、システムを稼働させる前に、全ての各子機の記憶部に親機の情報を記憶させる前処理が必要となる。このため、一般的に親機に対して子機の台数が多い電力線通信システムでは、この前処理の作業が多大になって、システム全体のコストが高くなる。
【課題を解決するための手段】
【０００７】
本発明はこのような課題を解決するためになされたもので、
子機と親機が電力線通信方式によって通信を行うネットワークを複数備える電力線通信システムにおいて、
親機が、自身が属するネットワークに固有の識別情報、および、自身が属するネットワークの配下に接続させる各ネットワーク間で重複しない子機のリストを記憶した親側メモリと、自身が属するネットワークへの参入要求を子機から受信した場合にリストを参照して、リストに記憶された子機に対しては参入要求を許可して自身が属するネットワークへの参入を登録し、リストに記憶されていない子機に対しては参入要求を拒否する応答を送信する親側制御回路とを備え、
子機が、参入要求が拒否された親機に割り当てられた識別情報を記憶する子側メモリと、子側メモリに記憶した識別情報とは異なる識別情報を有する親機にその親機が属するネットワークへの参入要求を送信する子側制御回路とを備えることを特徴とする。
【０００８】
本構成によれば、各親機は、親側制御回路の制御により、各ネットワーク間で重複することなく親側メモリのリストに記憶された子機だけに対して、自身が属するネットワークへの参入を許可して登録する。また、各子機は、参入が拒否された親機の識別情報を子側メモリに記憶し、子側制御回路の制御により、記憶した識別情報とは異なる識別情報を有する親機にそのネットワークへの参入要求をすることで、リストに記憶された親機に属するネットワークへ参入が登録される。したがって、各親機が親側メモリと親側制御回路、各子機が子側メモリと子側制御回路を備えることで、各子機の子側メモリに親機の情報を予め記憶させる手間を要する前処理を行うことなく、全ての子機は１台の親機にのみ対応付けられるようになる。このため、従来の電力線通信システムのように各親機の回路構成を大きくすることなく、また、簡単な処理で、全ての子機を１台の親機にのみ対応付けられ、電力線通信システムの製品コストを低減することが可能になる。
【０００９】
また、本発明は、子側制御回路が、最も通信品質が良い通信を行える親機へ参入要求を送信することを特徴とする。
【００１０】
本構成によれば、各子機は、より距離の近い親機へ参入要求をするようになり、より迅速に、リストに記憶された親機に属するネットワークに参入して登録されるようになる。
【発明の効果】
【００１１】
本発明によれば、各親機の回路構成を大きくすることなく、また、簡単な処理で、全ての子機を１台の親機にのみ対応付けられ、製品コストを低減できる電力線通信システムを提供することが可能になる。
【図面の簡単な説明】
【００１２】
【図１】本発明の一実施形態による電力線通信システムの構成を示すブロック図である。
【図２】（ａ）は、図１に示す電力線通信システムを構成する子機の内部構成を示すブロック図、（ｂ）は親機の内部構成を示すブロック図である。
【図３】（ａ）は、図１に示す子機１と親機１との間における動作シーケンスを示す図、（ｂ）は、図１に示す子機２と親機１，２との間における動作シーケンスを示す図である。
【図４】図１に示す子機１，２，３，５と親機１，２との間における動作シーケンスを示す図である。
【発明を実施するための形態】
【００１３】
次に、本発明による電力線通信システムを実施するための形態について説明する。
【００１４】
図１は、本発明の一実施形態による電力線通信システム１の構成を示すブロック図である。電力線通信システム１は、複数の子機１，２，３，４，５と親機１，２とが電力線に接続されて構成され、子機１，２，３，４，５と親機１，２との間、および子機１，２，３，４，５どうしの間で、電力線を使って電力線通信（ＰＬＣ:Power Line Communication）方式で通信を行う。子機１，２，３，４，５は需要家で使用される電気や水道水、ガス等の使用量を計量する計量装置であり、本実施形態では電力量計である。親機１，２は子機１，２，３，４，５で計量される計量値を収集する集線装置（コンセントレータ）であり、本実施形態では、電力量計で計量される計量値を収集するコンセントレータである。親機１，２で収集された計量値は、図示しないＭＤＭＳ(Meter Data Management System：メータデータ管理システム)へ送信される。
【００１５】
各子機１，２，３，４，５の概略の内部構成は図２（ａ）のブロック図に示される。各子機１，２，３，４，５は、子側電力線通信回路２、子側無線通信回路３、子側メモリ４および子側制御回路５から構成される端末装置６と、計量回路７から構成される計量器８とを備え、一般的にスマートメータと称される。計量器８の計量回路７は、電力線によって需要家に供給される電圧および電流を検知して、各子機１，２，３，４，５が設置される需要家の使用電力量を計量する。端末装置６の子側電力線通信回路２は、電力線を使って電力線通信方式で通信する機能を有し、子側無線通信回路３は、特定小電力無線で無線通信する機能を有する。子側制御回路５は、子側電力線通信回路２および子側無線通信回路３を制御し、計量回路６で計量される計量値を子側電力線通信回路２によって電力線へ送信する。
【００１６】
各親機１，２の概略の内部構成は図２（ｂ）のブロック図に示される。各親機１，２は親側電力線通信回路９、親側無線通信回路１０、親側メモリ１１および親側制御回路１２から構成される。親側電力線通信回路９は、電力線を介して各子機１，２，３，４，５の子側電力線通信回路２と電力線通信方式で通信する機能を有する。親側無線通信回路１０は、子側無線通信回路３と同様、特定小電力無線で無線通信する機能を有する。親側制御回路１２は、親側電力線通信回路９および親側無線通信回路１０を制御し、子側電力線通信回路２より送信される計量回路７の計量値を親側電力線通信回路９で受信して、各子機１，２，３，４，５の計量回路７で計量される計量値を３０分周期で収集する。
【００１７】
本実施形態における電力線通信はＧ３−ＰＬＣ規格に準拠した方式で行われる。各親機１，２の親側メモリ１１には、各親機自身が属するネットワークＡ，Ｂに固有の識別情報がＰＡＮ−ＩＤ（Personal Area Network Identification）として記憶されていると共に、各親機自身が属するネットワークＡ，Ｂの配下に接続させる各子機１，２，３，４，５の識別情報のＩＤリストが記憶されている。このＩＤリストには、各ネットワークＡ，Ｂ間で重複しない、各子機１，２，３，４，５に固有の識別情報がＩＤとして記憶されている。本実施形態では、親機１の親側メモリ１１にはＰＡＮ−ＩＤが０００１として記憶されており、ＩＤリストには子機１，５に割り当てられたＩＤである０１，０５が記憶されている。また、親機２の親側メモリ１１にはＰＡＮ−ＩＤが０００２として記憶されており、ＩＤリストには子機２，３，４に割り当てられたＩＤである０２，０３，０４が記憶されている。
【００１８】
親機１の親側制御回路１２は、自身が属するネットワークＡへの参入要求を子機１，２，３，４，５から受信した場合に、親側メモリ１１に記憶するＩＤリストを参照して、ＩＤリストに記憶された子機１，５に対しては参入要求を許可して自身が属するネットワークＡへの参入を登録し、ＩＤリストに記憶されていない子機２，３，４に対しては参入要求を拒否する応答を送信する。また、親機２の親側制御回路１２は、自身が属するネットワークＢへの参入要求を子機１，２，３，４，５から受信した場合に、親側メモリ１１に記憶するＩＤリストを参照して、ＩＤリストに記憶された子機２，３，４に対しては参入要求を許可して自身が属するネットワークＢへの参入を登録し、ＩＤリストに記憶されていない子機１，５に対しては参入要求を拒否する応答を送信する。したがって、親機１は子機１，５を計量値収集の対象とし、親機２は子機２，３，４を計量値収集の対象とすることになる。
【００１９】
各子機１，２，３，４，５は、ネットワークＡ，Ｂへの参入要求が親機１，２によって拒否された場合、参入要求が拒否された親機１，２に割り当てられたＰＡＮ−ＩＤを子側メモリ４に記憶する。子側制御回路５は、子側メモリ４に記憶したＰＡＮ−ＩＤとは異なるＰＡＮ−ＩＤを有する親機１，２に、その親機１，２が属するネットワークＡ，Ｂへの参入要求を送信する。この際、子側制御回路５は、最も通信品質が良い通信、つまり、送受信する信号強度の大きさが最も大きく、しかも、雑音の影響も最も少ない通信を行える親機１，２へ参入要求を送信する。ネットワークＡ，Ｂへの参入が許可された各子機１，２，３，４，５は、参入したネットワークＡ，Ｂに属する親機１，２に割り当てられたＰＡＮ−ＩＤを子側メモリ４に記憶する。
【００２０】
図３（ａ）は子機１がネットワークＡへ参入する際、図３（ｂ）は子機２がネットワークＢへ参入する際における動作シーケンスを示す図である。また、図４は、子機５がネットワークＡへ参入する際における動作シーケンスを示す図である。これらの動作シーケンスは図の上側から下側に向かって時間が経過するものとする。なお、子機３，４がネットワークＢへ参入する際における動作シーケンスは図３（ａ）に示す動作シーケンスと同様であるため、その図示は省略する。
【００２１】
以下の説明において、子機１は親機１に、子機４は親機２に電力線通信で通信可能とする。また、子機２と子機３は親機１と親機２の双方に電力線通信で通信可能とする。また、子機５は子機１，２，３と電力線通信で通信可能とする。また、図１において、図における距離が短いほど、通信品質が良い通信を行えるものとする。
【００２２】
子機１は、図３（ａ）に示すように、起動すると、その端末装置６の子側電力線通信回路２からビーコン信号を周囲に電力線通信で送信し、新たな相手との通信を要求する（(1)ビーコンリクエスト）。このビーコン信号を受信した親機１は、このビーコン要求に応じて、自身の親側電力線通信回路９からビーコン信号を自身のＰＡＮ−ＩＤ（０００１）と共に周囲に電力線通信で送信し、応答する（(2)ビーコン(PAN-ID)）。このビーコン応答によって最も通信品質の良いビーコン信号を親機１から受信した子機１は、親機１との間で接続認証を行う（(3)接続認証）。引き続いて、子機１は、親機１が属するネットワークＡへの登録を要求する信号を、自身のＩＤ（０１）と共に子側電力線通信回路２により親機１に宛てて送信する（(4)登録要求(ID:01)）。
【００２３】
子機１から登録要求を親側電力線通信回路９に受信した親機１は、受信した子機１のＩＤ（０１）が親側メモリ１１に記憶されたＩＤリストに有るか否かを判断する。親機１のＩＤリストには子機１のＩＤ（０１）が有るため、親機１は、子機１のネットワークＡへの参入を許可し、ネットワークＡへの子機１の登録処理を行う。そして、子機１に宛てて、ネットワークＡへの子機１の登録処理が済んで登録が完了したことを表す応答信号を電力線通信で送信する（(5)登録完了応答）。これにより、子機１と親機１との間における計量値収集の運用が開始される（登録完了（運用開始））。
【００２４】
子機２は、図３（ｂ）に示すように、起動すると、その端末装置６の子側電力線通信回路２からビーコン信号を周囲に電力線通信で送信し、新たな相手との通信を要求する（(7)ビーコンリクエスト）。このビーコン信号を受信した親機１および親機２は、このビーコン要求に応じて、それぞれ自身の親側電力線通信回路９からビーコン信号を自身のＰＡＮ−ＩＤ（０００１および０００２）と共に周囲に電力線通信で送信し、応答する（(8)ビーコン(PAN-ID)）。このビーコン応答によってビーコン信号を親機１および親機２から受信した子機２は、最も通信品質の良い親機１との間で接続認証を行う（(9)接続認証）。引き続いて、子機２は、親機１が属するネットワークＡへの登録を要求する信号を、自身のＩＤ（０２）と共に子側電力線通信回路２により親機１に宛てて電力線通信で送信する（(10)登録要求(ID:02)）。
【００２５】
子機２から登録要求を親側電力線通信回路９に受信した親機１は、受信した子機２のＩＤ（０２）が親側メモリ１１に記憶されたＩＤリストに有るか否かを判断する。親機１のＩＤリストには子機２のＩＤ（０２）が無いため、親機１は、子機２のネットワークＡへの参入を拒否し、ネットワークＡから抜けることを要求することを表すプラグアウト要求信号を子機２に宛てて電力線通信で送信する（(11)プラグアウト要求）。このプラグアウト要求信号を子側電力線通信回路２に受信した子機２は、参入要求が拒否された親機１に割り当てられたＰＡＮ−ＩＤ（０００１）を子側メモリ４に記憶する。そして、子機２は、親機１に対して、ネットワークＡから抜ける処理の実行を要求する信号を電力線通信で送信する（(12)プラグアウト処理(kick)）。
【００２６】
次に、子機２は、再度、子側電力線通信回路２からビーコン信号を周囲に電力線通信で送信する（(13)ビーコンリクエスト）。このビーコン信号を受信した親機１および親機２は、このビーコン要求に応じて、再度、それぞれ自身の親側電力線通信回路９からビーコン信号を自身のＰＡＮ−ＩＤ（０００１および０００２）と共に周囲に電力線通信で送信し、応答する（(14)ビーコン(PAN-ID)）。このビーコン応答によってビーコン信号を親機１および親機２から受信した子機２は、次に通信品質が良く、子側メモリ４に記憶したＰＡＮ−ＩＤ（０００１）とは異なるＰＡＮ−ＩＤ（０００２）を有する親機２との間で接続認証を行う（(15)接続認証）。引き続いて、子機２は、親機２が属するネットワークＢへの登録を要求する信号を、自身のＩＤ（０２）と共に子側電力線通信回路２により親機２に宛てて電力線通信で送信する（(16)登録要求(ID:02)）。
【００２７】
子機２から登録要求を親側電力線通信回路９に受信した親機２は、受信した子機２のＩＤ（０２）が親側メモリ１１に記憶されたＩＤリストに有るか否かを判断する。親機２のＩＤリストには子機２のＩＤ（０２）が有るため、親機２は、子機２のネットワークＢへの参入を許可し、ネットワークＢへの子機２の登録処理を行う。そして、子機２に宛てて、ネットワークＢへの子機２の登録処理が済んで登録が完了したことを表す応答信号を電力線通信で送信する（(17)登録完了応答）。これにより、子機２と親機２との間における計量値収集の運用が開始される（登録完了（運用開始））。
【００２８】
各子機３，４は、図３（ａ）に示す子機１と同様にして、起動するとそれぞれ、端末装置６の子側電力線通信回路２からビーコン信号を周囲に電力線通信で送信する。このビーコン信号を受信した親機２は、このビーコン要求に応じて、自身の親側電力線通信回路９からビーコン信号を自身のＰＡＮ−ＩＤ（０００２）と共に周囲に電力線通信で送信し、応答する。このビーコン応答によって最も通信品質の良いビーコン信号を親機２から受信した各子機３，４は、それぞれ、親機２との間で接続認証を行う。引き続いて、各子機３，４は、親機２が属するネットワークＢへの登録を要求する信号を、それぞれ、自身のＩＤ（０３，０４）と共に子側電力線通信回路２により親機２に宛てて電力線通信で送信する。
【００２９】
各子機３，４から登録要求を親側電力線通信回路９に受信した親機２は、受信した各子機３，４のＩＤ（０３，０４）が親側メモリ１１に記憶されたＩＤリストに有るか否かを判断する。親機２のＩＤリストには各子機３，４のＩＤ（０３，０４）が有るため、親機２は、各子機３，４のネットワークＢへの参入を許可し、ネットワークＢへの各子機３，４の登録処理を行う。そして、各子機３，４に宛てて、ネットワークＢへの各子機３，４の登録処理が済んで登録が完了したことを表す応答信号を電力線通信で送信する。これにより、各子機３，４と親機２との間における計量値収集の運用が開始される。
【００３０】
子機５は、図４に示すように、起動すると、その端末装置６の子側電力線通信回路２からビーコン信号を周囲に電力線通信で送信し、新たな相手との通信を要求する（(21)ビーコンリクエスト）。このビーコン信号は子機１，２，３までには届くが、親機１，２および子機４には届かない。このビーコン信号を受信した子機１，２，３は、このビーコン要求に応じて、それぞれ、自身の子側電力線通信回路２からビーコン信号を周囲に電力線通信で送信し、応答する（(22)ビーコン(PAN-ID)）。この際、子機１，２，３が既にネットワークＡ，Ｂに参入している場合には、参入しているネットワークＡ，Ｂに属する親機１，２に割り当てられたＰＡＮ−ＩＤを子側メモリ４から読み出し、ビーコン応答と共に送信する。
【００３１】
このビーコン応答によってビーコン信号を子機１，２，３から受信した子機５は、最も通信品質の良い子機２との間で接続認証を行う（(23)接続認証）。この接続認証では、子機２は、既に参入しているネットワークＢに属する親機２との間においても、接続認証を行う。次に、子機５は、子機２を介して接続認証した親機２が属するネットワークＢへの登録を要求する信号を、自身のＩＤ（０５）と共に子側電力線通信回路２により子機２を介して親機２に宛てて電力線通信で送信する（(24)登録要求(ID:05)）。
【００３２】
子機５から子機２を介して登録要求を親側電力線通信回路９に受信した親機２は、受信した子機５のＩＤが親側メモリ１１に記憶されたＩＤリストに有るか否かを判断する。親機２のＩＤリストには子機５のＩＤ（０５）が無いため、親機２は、子機５のネットワークＢへの参入を拒否し、ネットワークＢから抜けることを要求することを表すプラグアウト要求信号を子機２を介して子機５に宛てて電力線通信で送信する（(25)プラグアウト要求）。このプラグアウト要求信号を子機２を介して子側電力線通信回路２に受信した子機５は、参入要求が拒否された親機２に割り当てられたＰＡＮ−ＩＤ（０００２）を子側メモリ４に記憶する。そして、子機５は、親機２に対して、ネットワークＡから抜ける処理の実行を要求する信号を子機２を介して電力線通信で送信する（(26)プラグアウト処理(kick)）。
【００３３】
次に、子機５は、再度、子側電力線通信回路２からビーコン信号を周囲に電力線通信で送信する（(27)ビーコンリクエスト）。このビーコン信号を受信した子機１，２，３は、このビーコン要求に応じて、再度それぞれ、自身の子側電力線通信回路２からビーコン信号を、子側メモリ４に記憶したＰＡＮ−ＩＤと共に周囲に電力線通信で送信し、応答する（(28)ビーコン(PAN-ID)）。このビーコン応答によってビーコン信号を子機１，２，３から受信した子機５は、次に通信品質が良い子機３が参入しているネットワークＢへの参入を企図するが、ネットワークＢに属する親機２のＰＡＮ−ＩＤ（０００２）を子側メモリ４に記憶しているため、子機３からのビーコン信号を無視し、その参入を断念する。
【００３４】
続いて、子機５は、次に通信品質が良く、その子側メモリ４に記憶したＰＡＮ−ＩＤ（０００２）とは異なるＰＡＮ−ＩＤ（０００１）を子側メモリ４に記憶する子機１との間で接続認証を行う（(29)接続認証）。この接続認証では、子機１は、既に参入しているネットワークＡに属する親機１との間においても、接続認証を行う。次に、子機５は、子機１を介して接続認証した親機１が属するネットワークＡへの登録を要求する信号を、自身のＩＤ（０５）と共に子側電力線通信回路２により子機１を介して親機１に宛てて電力線通信で送信する（(30)登録要求(ID:05)）。
【００３５】
子機５から子機１を介して登録要求を親側電力線通信回路９に受信した親機１は、受信した子機５のＩＤが親側メモリ１１に記憶されたＩＤリストに有るか否かを判断する。親機１のＩＤリストには子機５のＩＤ（０５）が有るため、親機１は、子機５のネットワークＢへの参入を許可し、ネットワークＡへの子機５の登録処理を行う。そして、子機１を介して子機５に宛てて、ネットワークＡへの子機５の登録処理が済んで登録が完了したことを表す応答信号を電力線通信で送信する（(31)登録完了応答）。これにより、子機５と親機１との間における子機１を介する計量値収集の運用が開始される（登録完了（運用開始））。
【００３６】
このような本実施形態による電力線通信システム１によれば、各親機１，２は、親側制御回路１２の制御により、各ネットワークＡ，Ｂ間で重複することなく親側メモリ１１のＩＤリストに記憶された子機１，２，３，４，５だけに対して、自身が属するネットワークＡ，Ｂへの参入を許可して登録する。また、各子機１，２，３，４，５は、参入が拒否された親機１，２のＰＡＮ−ＩＤを子側メモリ４に記憶し、子側制御回路５の制御により、記憶したＰＡＮ−ＩＤとは異なるＰＡＮ−ＩＤを有する親機１，２にそのネットワークＡ，Ｂへの参入要求をすることで、ＩＤリストに記憶された親機１，２に属するネットワークＡ，Ｂへ参入が登録される。すなわち、各子機１，２，３，４，５は、参入が拒否された親機１，２のＰＡＮ−ＩＤを学習していくことで、最終的に企図された親機１，２にプラグインし、登録が完了する。したがって、各親機１，２が親側メモリ１１と親側制御回路１２、各子機１，２，３，４，５が子側メモリ４と子側制御回路５を備えることで、各子機１，２，３，４，５の子側メモリ４に親機１，２のＰＡＮ−ＩＤを予め記憶させる、手間を要する前処理を行うことなく、全ての子機１，２，３，４，５は１台の親機１，２にのみ対応付けられるようになる。このため、従来の電力線通信システムのように各親機の回路構成を大きくすることなく、また、簡単な処理で、全ての子機１，２，３，４，５を１台の親機１，２にのみ対応付けられ、電力線通信システム１の製品コストを低減することが可能になる。
【００３７】
また、本実施形態による電力線通信システム１によれば、子側制御回路５が、最も通信品質が良い通信を行える親機１，２へ参入要求を送信するので、各子機１，２，３，４，５は、より距離の近い親機１，２へ参入要求をするようになり、より迅速に、ＩＤリストに記憶された親機１，２に属するネットワークＡ，Ｂに参入して登録されるようになる。
【符号の説明】
【００３８】
１…電力線通信システム
２…子側電力線通信回路
３…子側無線通信回路
４…子側メモリ
５…子側制御回路
６…端末装置
７…計量回路
８…計量器
９…親側電力線通信回路
１０…親側無線通信回路
１１…親側メモリ
１２…親側制御回路
【図１】
2020010251.tif 000003
【図２】
2020010251.tif 000004
【図３】
2020010251.tif 000005
【図４】
2020010251.tif 000006